(57)【要約】      （修正有）【課題】如何なる取り付け箇所であっても、表示部を看者に対して安定して正対させることができる表示具を提供する。【解決手段】商品情報などを表示する表示本体部の裏側に、表示本体部と軸支により回動自在にクリップ部２を取り付け、クリップ部２は表示本体部と回動自在に支持されると共に、裏面部と当接する略板状のクリップ前方部２１と、クリップ前方部２１の上方と連続する挟持部が略く字形状のクリップ後方部２２、２３とからなり、表示本体部の裏面には、微小突起（第１係合部）３をクリップ前方部の回動領域内であって、且つ軸支の軸を中心とする同心円上に複数設置し、クリップ前方部２１には、第１係合部３と係合する第２係合部３を設置した表示具。【選択図】図２
0003143454.tif 000002
【実用新案登録請求の範囲】
【請求項１】
商品情報などを表示する表示本体部の裏側に、該表示本体部と軸支によりクリップ部を回動自在に取り付け、
該クリップ部は、該表示本体部の裏面部と当接する略板状のクリップ前方部と、該クリップ前方部の上方と連続する略く字形状の挟持部を有するクリップ後方部とからなり、
微小形状の第１係合部を、該表示本体部の裏面の該クリップ前方部の回動領域内であって、且つ該軸支の軸を中心とする同心円上に複数個設置し、
該クリップ前方部には、該第１係合部に対向する位置に該第１係合部と係合する第２係合部を設置したことを特徴とする表示具。
【請求項２】
前記第１係合部が係合突起であり、該第２係合部が係合凹部であるか、あるいは前記第１係合部が係合凹部であり、該第２係合部が係合突起であることを特徴とする請求項１記載の表示具。
【請求項３】
前記第１係合部は、該軸支の軸を中心とする下側の半円形の同心円上に等ピッチで５個形成されることを特徴とする請求項１又は２に記載の表示具。
【請求項４】
前記クリップ前方部の両側端部には、該第２係合部と係合する第１係合部に隣接する第１係合部との接触を回避する凹部を形成してなることを特徴とする請求項１〜３のいずれか１項に記載の表示具。
【請求項５】
プライスホルダーであることを特徴とする請求項１〜４のいずれか１項に記載の表示具。
【考案の詳細な説明】
【技術分野】
【０００１】
本考案は、特に陳列商品である衣類などの襟やポケット等に直接取り付け、常に表示本体部を看者に対して正対させることができる表示具に関するものである。
【背景技術】
【０００２】
Ｙシャツ、スーツ、コート類などの衣料品を陳列販売する際、価格表示などは価格表示札を衣料品に直接付けて行なうことがある。価格表示札を衣料品に直接付ける方法としては、ピンによる取り付け方法及びクリップ止めによる取り付け方法等がある。
【０００３】
価格表示札をピンにより衣料品に直接付ける方法は、取り付けが不安定であり、商品の移動や購買者などが商品に触れることなどにより、外れたりすることがある。また、ピン先で思わぬ怪我をすることもある。
【０００４】
価格表示札を衣料品にクリップ止めする方法は、価格表示札をピンにより衣料品に直接付ける方法の欠点が解消される取り付け方法であるため都合がよい。このようなクリップ止めの表示具としては、価格を表示する横長矩形状の表示本体部の裏側にクリップ部を固設したものが知られている。このような表示具は、衣料品のポケット部に取り付けることで、表示本体部を看者に対して正対させることができる。
【考案の開示】
【考案が解決しようとする課題】
【０００５】
しかしながら、従来のクリップ止め価格表示具は、クリップ部が表示本体部に固設されているため、例えば襟や胸の前立て部など、水平状の取付部を有さない箇所へ取り付けると、表示が斜めとなってしまうという問題がある。
【０００６】
従って、本考案の目的は、如何なる取り付け箇所であっても、表示部を看者に対して安定して正対させることができる表示具を提供することにある。
【課題を解決するための手段】
【０００７】
すなわち、本考案は、上記従来の課題を解決したものであって、商品情報などを表示する表示本体部の裏側に、該表示本体部と軸支によりクリップ部を回動自在に取り付け、該クリップ部は、該表示本体部の裏面部と当接する略板状のクリップ前方部と、該クリップ前方部の上方と連続する略く字形状の挟持部を有するクリップ後方部とからなり、微小形状の第１係合部を、該表示本体部の裏面の該クリップ前方部の回動領域内であって、且つ該軸支の軸を中心とする同心円上に複数個設置し、該クリップ前方部には、該第１係合部に対向する位置に該第１係合部と係合する第２係合部を設置したことを特徴とする表示具を提供するものである。
【考案の効果】
【０００８】
本考案によれば、表示対象となる衣料品等の如何なる取り付け箇所であっても、表示部を看者に対して安定して正対させることができる。
【考案を実施するための最良の形態】
【０００９】
本考案の第１の実施の形態における表示具を図１〜図９を参照して説明する。図１は本例の表示具の正面から見た斜視図、図２は図１の表示具を裏面から見た斜視図、図３は本例の表示具の長手方向の中心で切断した横断面図、図４は本例の表示具の一部破断して示す裏面図、図５は本例の表示具の一部破断して示す他の裏面図、図６は本例の表示具の一部破断して示す他の裏面図、図７の本例の表示具の表示本体部を説明する図、図８は本例の表示具の使用方法を説明する図、図９は本例の表示具の他の使用方法を説明する図である。なお、図４〜図６中、クリップ後方部の記載を説明の都合上省略した。また、本明細書中、「前」は看者側をいい、「後」はその反対側を言う。
【００１０】
表示具１０は、商品情報などを表示する表示本体部１と、表示本体部１の裏面に回動自在に取り付けられるクリップ部２とからなる。
【００１１】
表示本体部１は、横長矩形状の板状の背面板１１と、該背面板１１の上方端を前方且つ下方へ屈曲させた逆Ｕ字断面形状の上方係止片１２と、該背面板１１の下方端を前方へ且つ上方へ屈曲させたＵ字断面形状の下方係止片１３とからなり、長手方向の左右両端部を開口としている。これにより、商品情報などを表示する薄板である小パネル５が、この開口から挿入され、背面板１１、上方係止片１２及び下方係止片１３から形成される空間部に設置可能となる。
【００１２】
背面板１１の長手方向の中心部には、軸支１６を構成する中空短軸１６１を形成したことで表れる凹部１４が形成され、凹部１４の周りには微小形状の第１係合部３を形成したことで表れる５個の微小凹部１５が形成されている。凹部１４及び微小凹部１５は共に背面板１１の表面から凹んでいるため、薄板の小パネル５の挿入及び設置に支障はない。
【００１３】
表示本体部１の背面板１１の裏面部１１１の中央部には、軸支１６を構成する中空短軸１６１が形成され、中空短軸１６１の周りには中空短軸１６１を中心とする下半円形の同心円上にある微小形状の第１係合部３ａ、３ｂ、３ｃ、３ｄ、３ｅが５個形成されている。また、微小形状の第１係合部３ａ〜３ｅは、クリップ前方部２１の回動領域内に位置する。また、第１係合部３ａは裏側から見て、一番左にある微小突起であり、３ｂ〜３ｅは第１係合部３ａから反時計周りに順次付けられた第１係合部３の符号を言う。微小形状の第１係合部３は本例では微小突起３である。５個の微小形状の第１係合部３は軸支１６の中空短軸１６１を中心とする下側の半円上に等ピッチで形成されている。すなわち、第１係合部３間の角度は４５度である。また、微小突起３の先端は潰されて微小な平坦面あるいは緩やかな凸状の曲面としている。これにより、第１係合部３と第２係合部４との係合を適度に強く、また、クリップ部２を回動し易いようにしている。
【００１４】
クリップ部２は、表示本体部１の背面板１１と回動自在に支持されると共に、裏面部１１１と当接する略板状のクリップ前方部２１と、クリップ前方部２１の上方と連続する略く字形状の挟持部２３を備えるクリップ後方部とからなる。すなわち、クリップ後方部は、クリップ前方部２１の上端から後方へ屈曲して天板部２２を形成し、更に下方に屈曲して略く字形状の挟持部２３を形成する。そして、挟持部２３の屈曲部２３１とクリップ前方部２１が当接している。クリップ前方部２１は表示本体部１の高さ寸法よりやや小さい高さ寸法と、第１係合部である微小突起群３を形成する半円形状の直径よりやや小さな幅寸法をもつ形状である。このクリップ部２はバネ力を有するため、挟持部２３の下方片２３２を後方へ指で押しやり、挟持部２３の屈曲部２３１とクリップ前方部２１間に例えば衣料品のポケット部等の被挟持体を嵌め、指を離せば被挟持体をクリップすることができる。
【００１５】
クリップ前方部２１と表示本体部１の背面板１１との接続は、クリップ前方部２１に形成された円形状の貫通穴に背面板１１の中空短軸１６１を挿入し、該中空短軸１６１の先端をかしめることで形成される。これにより、クリップ前方部２１と表示本体部１の背面板１１とは回動自在となる。
【００１６】
クリップ前方部２１には、表示本体部１の微小突起である第１係合部３と係合する位置に第２係合部４を有する。第２係合部４は本例では、該微小突起が嵌る形状の微小凹部である。また、クリップ前方部２１の両側端部には、例えば図４及び図５に示すように、第２係合部４と第１係合部３ｃとの係合や第２係合部４と第１係合部３ｂ又は３ｄとの係合の際、係合に関与する第１係合部３に隣接する係合に関与しない第１係合部３との接触を回避する凹部（くびれ）６を形成している。これにより、クリップ前方部２１の幅寸法が広く採れ、クリップ部２と表示本体部１の接続が安定すると共に、第２係合部４と第１係合部３を確実に係合させることができる。
【００１７】
クリップ部２に形成された第２係合部４と表示本体部１に形成された第１係合部３との係合形態を説明する。クリップ部２に形成された第２係合部４と表示本体部１に形成された中空短軸１６１の直下に位置する第１係合部３ｃとを係合させると、表示本体部１における左右方向に延びる水平軸Ｘ−Ｘとクリップ部２における鉛直方向に延びる鉛直軸Ｙ−Ｙが９０度の角度になるため、衣料品などのポケット２０の開口部２１に設置すると、価格表示が看者に対して正対することになり、価格が看者から見易くなると共に、意匠性にも優れたものとなる（図４及び図８参照）。
【００１８】
クリップ部２に形成された第２係合部４と表示本体部１に形成された中空短軸１６１の直下の第１係合部３ｃと右４５度の角度の位置に第１係合部３ｄを係合させると、表示本体部１における左右方向に延びる水平軸Ｘ−Ｘとクリップ部２における鉛直方向に延びる鉛直軸Ｙ−Ｙが４５度の角度になるため、衣料品などにおける正面視で左４５度下がりの傾斜部に設置すると、価格表示が看者に対して正対することになり、価格が看者から見易くなると共に、意匠性にも優れたものとなる（図５参照）。
【００１９】
クリップ部２に形成された第２係合部４と表示本体部１に形成された中空短軸１６１の裏面視で右真横に位置する第１係合部３ｅを係合させると、表示本体部１における左右方向に延びる水平軸Ｘ−Ｘとクリップ部２における鉛直方向に延びる鉛直軸Ｙ−Ｙが一致するため、例えば女性用Ｙシャツ４０の胸部の前立て部３０ｂに設置すると、価格表示が看者に対して正対することになり、価格が看者から見易くなると共に、意匠性にも優れたものとなる（図５及び図９参照）。
【００２０】
クリップ部２に形成された第２係合部４と表示本体部１に形成された中空短軸１６１の直下の第１係合部３ｃと左４５度の角度の位置に第１係合部３ｂを係合させると、表示本体部１における左右方向に延びる水平軸Ｘ−Ｘとクリップ部２における鉛直方向に延びる鉛直軸Ｙ−Ｙが４５度の角度になるため、衣料品などにおける正面視で右４５度下がりの傾斜部に設置すると、価格表示が看者に対して正対することになり、価格が看者から見易くなると共に、意匠性にも優れたものとなる（不図示）。
【００２１】
クリップ部２に形成された第２係合部４と表示本体部１に形成された中空短軸１６１の裏面視で左真横に位置する第１係合部３ａを係合させると、表示本体部１における左右方向に延びる水平軸Ｘ−Ｘとクリップ部２における鉛直方向に延びる鉛直軸Ｙ−Ｙが一致するため、例えば男性用Ｙシャツ４０の胸部の前立て部３０ａに設置すると、価格表示が看者に対して正対することになり、価格が看者から見易くなると共に、意匠性にも優れたものとなる（図９参照）。
【００２２】
本考案の表示具としては、長さ５ｃｍ以下、高さ２ｃｍ以下の小さなプライスホルダーが挙げられる。表示具１０をプライスホルダーとして使用する場合、例えば数値が描かれた５〜８個の小パネル５を容易し、これを表示本体部１の背面板１１前の空間部に設置すればよい。また、小パネル５をマグネットとすれば、表示本体部１への設置が安定する。
【００２３】
本考案の第２の実施の形態における表示具を図１０及び図１１を参照して説明する。図１０は本例の表示具の正面から見た斜視図、図１１は図１０の表示具を裏面から見た斜視図である。図１０及び図１１において、図１及び図２と同一構成要素には同一符号を付してその説明を省略し、異なる点について主に説明する。すなわち、図１０及び図１１の表示具１０ａにおいて、図１及び図２の表示具１０と異なる点は、表示具１０ａにおけるクリップ前方部２１ａの高さ寸法を、表示具１０におけるクリップ前方部２１の高さ寸法より大とした点にある。すなわち、表示具１０ａにおけるクリップ前方部２１ａの下方部分は、表示具本体部１の下端を越えて下方に突出し、更にクリップ後方部２３の下端を越えて下方に突出する高さである。これにより、表示具１０ａを被挟持体への取り付ける際、クリップ前方部２１とクリップ後方部２３との間に被挟持体を入れ易く、取り付けが容易となる。
【００２４】
なお、本考案の表示具において、表示本体部１は上記形態に限定されず、上方係止片１２や下方係止片１３が省略された形態であってもよい。また、外観形状は横長矩形状に限定されず、種々の形状のものを使用できる。また、第１係合部３は微小係合凹部であってもよい。この場合、第１係合部３と係合する第２係合部は微小突起となる。すなわち、本考案の表示具において、微小形状の第１係合部は、微小突起でも微小凹部でもよく、第２係合部は第１係合部と係合する微小凹部でも微小突起でもよい。また、中空短軸１６は表示本体部の上下方向の中心部に配設して、第１係合部３を中空短軸１６周りの同心円状の全体に亘り所定のピッチで付設してもよい。これにより、被挟持体への設置箇所が更に増え、利用性が高まる。
【図面の簡単な説明】
【００２５】
【図１】第１の実施の形態例の表示具の正面から見た斜視図である。
【図２】図１の表示具を裏面から見た斜視図である。
【図３】本例の表示具の長手方向の中心で切断した横断面図である。
【図４】本例の表示具の一部破断して示す裏面図である。
【図５】本例の表示具の一部破断して示す他の裏面図である。
【図６】本例の表示具の一部破断して示す他の裏面図である。
【図７】本例の表示具の表示本体部を説明する図である。
【図８】本例の表示具の使用方法を説明する図である。
【図９】本例の表示具の他の使用方法を説明する図である。
【図１０】第２の実施の形態例の表示具の正面から見た斜視図である。
【図１１】図１０の表示具を裏面から見た斜視図である。
【符号の説明】
【００２６】
１      表示本体部
２      クリップ部
３、３ａ〜３ｅ      第１係合部（微小突起）
４      第２係合部（微小凹部）
５      小パネル
１０    表示具
１１    板状の背面板
１２    上方係止片
１３    下方係止片
１４    凹部
１５    微小凹部
１６    軸支
１６１  中空短軸
【図１】
0003143454.tif 000003
【図２】
0003143454.tif 000004
【図３】
0003143454.tif 000005
【図４】
0003143454.tif 000006
【図５】
0003143454.tif 000007
【図６】
0003143454.tif 000008
【図７】
0003143454.tif 000009
【図８】
0003143454.tif 000010
【図９】
0003143454.tif 000011
【図１０】
0003143454.tif 000012
【図１１】
0003143454.tif 000013